(57)【要約】【課題】  車椅子を利用する身障者にも操作パネルに対する視認性及び操作性を十分に確保することができるようにする。【解決手段】  操作パネル１８を水平面に対して所定の角度をなす第１の位置と当該第１の位置よりも大きい角度をなす第２の位置とに選択的に変更可能にする操作パネル支持部と、操作パネル１８が第２の位置にあることを検出する角度センサ１３０と、操作パネル１８が第２の位置にある場合に第１の位置にある場合よりも液晶表示部９６に表示される画面を拡大表示する表示制御部１５４とを備える。【選択図】      図７
2006209011.tif 000002
【特許請求の範囲】
【請求項１】
所定の画面が表示される表示部を有する操作パネルが設けられた画像形成装置であって、前記操作パネルを水平面に対して所定の角度をなす第１の位置と当該第１の位置よりも大きい角度をなす第２の位置とに選択的に変更可能にする操作パネル支持部と、前記操作パネルが前記第２の位置にあることを検出する位置検出部と、前記操作パネルが第２の位置にある場合に第１の位置にある場合よりも前記表示部に表示される画面の視認性を高めるべく当該画面の表示状態を変更する表示制御部とを備えたことを特徴とする画像形成装置。
【請求項２】
前記表示制御部は、前記操作パネルが第２の位置にある場合に第１の位置にある場合よりも前記表示部に表示される画面を拡大するものであることを特徴とする請求項１記載の画像形成装置。
【請求項３】
前記操作パネルが第２の位置にある場合に前記表示部に表示される画面の表示状態を変更する第１の表示モードと、前記操作パネルが第２の位置にある場合でも前記表示部に表示される画面の表示状態を変更しない第２の表示モードとを択一的に選択する表示モード選択部を備え、前記表示制御部は，前記第１の表示モードが選択された場合であって、前記操作パネルが第２の位置にある場合に第１の位置にある場合よりも前記表示部に表示される画面を拡大するものであることを特徴とする請求項２記載の画像形成装置。
【発明の詳細な説明】
【技術分野】
【０００１】
本発明は、複写機や複写機の機能にプリンタやファクシミリ装置などの機能を併せ持つ複合機などの画像形成装置に関する。
【背景技術】
【０００２】
近年、複写機や複写機の機能にプリンタやファクシミリ装置などの機能を併せ持つ複合機などの画像形成装置が汎用されている。これらの画像形成装置は、オフィスなどで用いるものでは床面に設置するようにしたものであり、健常者であるオペレータが床面に立った状態で操作し易くする必要があることから、液晶表示部を備えた操作パネルが高い位置に設置されている。
【０００３】
一方、近年における身障者の社会進出に伴い、車椅子に座った状態の低い位置で操作パネルを操作する頻度が高まってきている。このため、車椅子に座った状態で操作パネルを操作する場合、従来の画像形成装置では操作パネルを傾斜した角度で見ることになって画面が見づらくなることから、操作パネルの角度を視点の位置に合わせて変更可能にすることで健常者にも身障者にも操作パネルが見づらくならないようにし、操作パネルに対する視認性及び操作性を改善するようにしたものも提案されている（例えば、特許文献１）。
【特許文献１】特開平１１−１１９４９８号公報
【発明の開示】
【発明が解決しようとする課題】
【０００４】
このように操作パネルの角度を視点の位置に合わせて変更可能にすることで操作パネルに対する視認性及び操作性が従来のものに比べて改善されるとはいうものの、車椅子に座った状態では操作パネルとの距離が不可避的に長くなってしまうことから、操作パネルに設けられている液晶表示部の画面が見づらくなり、車椅子を利用する身障者にとって操作パネルに対する視認性及び操作性が十分に改善されているとは言い難い面があった。
【０００５】
本発明は、このような事情に鑑みてなされたもので、健常者にも身障者にも操作パネルに対する視認性及び操作性を十分に確保することができる画像形成装置を提供することを目的とする。
【課題を解決するための手段】
【０００６】
上記目的を達成するため、請求項１の発明は、所定の画面が表示される表示部を有する操作パネルが設けられた画像形成装置であって、前記操作パネルを水平面に対して所定の角度をなす第１の位置と当該第１の位置よりも大きい角度をなす第２の位置とに選択的に変更可能にする操作パネル支持部と、前記操作パネルが第２の位置にあることを検出する位置検出部と、前記操作パネルが第２の位置にある場合に第１の位置にある場合よりも前記表示部に表示される画面の視認性を高めるべく当該画面の表示状態を変更する表示制御部とを備えたことを特徴としている。
【０００７】
請求項２の発明は、請求項１に係るものにおいて、前記表示制御部が、前記操作パネルが第２の位置にある場合に第１の位置にある場合よりも前記表示部に表示される画面を拡大するものであることを特徴としている。
【０００８】
請求項３の発明は、請求項２に係るものにおいて、前記操作パネルが第２の位置にある場合に前記表示部に表示される画面の表示状態を変更する第１の表示モードと、前記操作パネルが第２の位置にある場合でも前記表示部に表示される画面の表示状態を変更しない第２の表示モードとを択一的に選択する表示モード選択部を備え、前記表示制御部が、前記第１の表示モードが選択された場合であって、前記操作パネルが第２の位置にある場合に第１の位置にある場合よりも前記表示部に表示される画面を拡大するものであることを特徴としている。
【発明の効果】
【０００９】
請求項１の発明によれば、操作パネルが第２の位置にある場合に第１の位置にある場合よりも表示部に表示される画面の視認性を高めるべく当該画面の表示状態が変更されるので、操作パネルが第１の位置にある状態で使用する健常者は勿論のこと、操作パネルが第２の位置にある状態で使用する身障者にとっても操作パネルに対する視認性及び操作性を十分に確保することができる。
【００１０】
請求項２の発明によれば、操作パネルが第２の位置にある場合に第１の位置にある場合よりも表示部に表示される画面が拡大されるので、表示部との距離が不可避的に長くならざるを得ない身障者にとって画面が見やすくなる結果、操作パネルが第１の位置にある状態で使用する健常者は勿論のこと、操作パネルが第２の位置にある状態で使用する身障者にとっても操作パネルに対する視認性及び操作性を十分に確保することができる。
【００１１】
請求項３の発明によれば、画面の表示状態を変更する第１の表示モードと画面の表示状態を変更しない第２の表示モードとを択一的に選択することができるので、例えば視力の良い身障者の場合では画面の表示状態を変更しない第２の表示モードを選択することで画面の表示状態を変更するのに要する時間が不要となり、僅かであっても作業時間を短縮することができる。
【発明を実施するための最良の形態】
【００１２】
図１は、本発明の一実施形態に係る画像形成装置の外部構成を概略的に示す図であり、図２は、その内部構成を概略的に示す図である。これらの図において、画像形成装置１０は、タンデム型のカラー複写機を構成するものであり、原稿画像を読み取る原稿読取部１２と、原稿読取部１２の下方に配設され、読み取った原稿画像を記録紙に形成する本体部１４と、本体部１４の左方に配設され、本体部１２で画像の形成された記録紙が排出される記録紙排出部１６と、本体部１４上端の手前側に配設された操作パネル１８とから構成されている。
【００１３】
原稿読取部１２は、開閉可能な原稿押え２０と、原稿を載置するコンタクトガラス２２と、本体部１２の上部においてコンタクトガラス２２と対向する位置にコンタクトガラス２２の裏面に沿って移動可能に配設されたスキャナ２４を有する光学系ユニット２６とを備えている。なお、原稿押え２０の上方に原稿押え２０と一体に構成された自動原稿給送装置２８が配設されている。
【００１４】
本体部１４は、筐体３０内の下部に配設され、記録紙を収納する給紙カセット３２と、筐体３０内の中央部に配設され、原稿読取部１２で読み取って得た画像データに基づいて記録紙に画像を形成する画像形成部３４と、給紙カセット３２から繰り出された記録紙を画像形成部３４に搬送する第１の搬送路３６と、筐体３０内の左部に配設され、画像形成部３４で画像の形成された記録紙に対し定着処理を行う定着ユニット３８と、定着処理の行われた記録紙を記録紙排出部１６に搬送する第２の搬送路４０とを備えている。
【００１５】
給紙カセット３２は、筐体３０の外部に引き出すことにより記録紙の補充を可能にしたもので、サイズの異なる記録紙が収納される複数のカセット４２，４４，４６，４８を備えており、原稿サイズに対応して何れかのカセットが選択され、選択されたカセットに収納されている記録紙が給紙ローラにより１枚ずつ第１の搬送路３６側に繰り出される。
【００１６】
画像形成部３４は、ブラックのトナー画像を形成する第１の画像形成ユニット５０と、シアンのトナー画像を形成する第２の画像形成ユニット５２と、マゼンタのトナー画像を形成する第３の画像形成ユニット５４と、イエローのトナー画像を形成する第４の画像形成ユニット５６と、各画像形成ユニットで形成されるトナー画像を記録紙に転写する転写搬送部５８とを備えている。
【００１７】
各画像形成ユニット５０，５２，５４，５６は、感光体ドラム６０と、感光体ドラム６０の周面に対向して配設された帯電部６２と、帯電部６２の下流側であって感光体ドラム６０の周面に対向して配設された露光部６４と、露光部６４の下流側であって感光体ドラム６０の周面に対向して配設された現像部６６と、現像部６６の下流側であって感光体ドラム６０の周面に対向して配設されたクリーニング部６８とを備えている。なお、各画像形成ユニットの現像部６６には、各トナーボックスにブラックトナー、シアントナー、マゼンタトナー及びイエロートナーの対応する所定のトナーが収納されている。
【００１８】
転写搬送部５８は、駆動ローラ７０と、従動ローラ７２と、駆動ローラ７０と従動ローラ７２とに跨って配設された転写ベルト７４と、各画像形成ユニットの感光体ドラム６０における現像部６６の下流側の位置に転写ベルト７４を介して圧接可能に配設された４つの転写ローラ７６とを備えている。この転写搬送部５８では、第１の搬送路３６から搬送されてきた記録紙を図略の駆動モータにより回転駆動される駆動ローラ７０により図示の反時計方向に回転する転写ベルト７４上に静電吸着して下流側に搬送すると共に、各画像形成ユニットの転写ローラ７６の位置で記録紙に対してトナー像が転写される。
【００１９】
第１の搬送路３６は、給紙カセット３２から繰り出されてきた記録紙を転写搬送部５８側に搬送するものであり、所定位置に配設された複数の搬送ローラ対７８と、転写搬送部５８の手前に配設され、画像形成部３４における画像形成動作と給紙動作とのタイミングを取るためのレジストローラ対８０とを備えている。
【００２０】
なお、レジストローラ対８０の手前にフォトインタラプタなどで構成された図略のレジストセンサが設けられており、記録紙の先端がレジストローラ対８０に当接する位置にまで搬送されてくると、レジストセンサからの出力信号に基づき電磁クラッチが遮断されて搬送ローラ対７８の回転駆動が停止され、記録紙の搬送が一旦停止される。
【００２１】
定着ユニット３８は、画像形成部３４でトナー像が転写された記録紙を加熱することにより定着処理を行うものであり、内蔵されたヒータにより加熱される定着ローラ８４と、定着ローラ８４に圧接して配設された加圧ローラ８６とを備えている。
【００２２】
第２の搬送路４０は、定着ユニット３８で定着処理の行われた記録紙を記録紙排出部１６に搬送するものであり、所定位置に複数の搬送ローラ対８８が配設されると共に、出口側に排出ローラ対９０が配設されている。記録紙排出部１６は、第２の搬送路４０に搬送されてきた定着処理の終了している記録紙を順次集積する。
【００２３】
操作パネル１８は、筐体３０の一部を構成する枠体９２の凹部空間９４位置において、床面である水平面に対し所定の角度をなす第１の位置（倒伏した状態となる位置）と、この第１の位置よりも大きい角度をなす第２の位置（所定角度で起き上がった状態となる位置）とに選択的に変更可能となるように配設されたものであり、略中央に配設された液晶表示部９６と、液晶表示部９６の右方に隣接して配設されたテンキー９８と、テンキー９８の右方に隣接して配設されたスタートボタン１００と、液晶表示部９６の左方に隣接して配設された表示モード選択ボタン１０２と、液晶表示部９６に表示される画面をスクロールする機能ボタン１０４とを備えている。なお、操作パネル１８を第１の位置と第２の位置とに選択的に変更可能にするための構成については後述する。
【００２４】
液晶表示部９６は、指先をタッチさせることで画像形成の条件設定を行うタッチパネルを構成するものであり、操作パネル１８が第１の位置に設定されている場合と第２の位置に設定されている場合とで、その画面の表示状態が変更されるようになっている。
【００２５】
すなわち、操作パネル１８が倒伏した状態となる第１の位置に設定されている場合、液晶表示部９６には、例えば図３に示すように、表示面の左方から右方に向けて記録紙の種類などを設定する用紙設定部１０６、複写倍率などを設定する倍率設定部１０８、複写濃度などを設定する濃度設定部１１０、ステープル処理やパンチ孔処理などを設定する用紙処理設定部１１２、及び、両面印刷や分割印刷などの各種機能を設定する機能設定部１１４が順に配設された画面が表示される。
【００２６】
これに対し、操作パネル１８が所定角度で起き上がった状態となる第２の位置に設定されている場合、液晶表示部９６には、例えば図４に示すように、図３に示す機能設定部１１４が画面から消滅する一方、記録紙の種類などを設定する用紙設定部１０６、複写倍率などを設定する倍率設定部１０８、複写濃度などを設定する濃度設定部１１０、及び、ステープル処理やパンチ孔処理などを設定する用紙処理設定部１１２が図３に示す場合よりも拡大された状態の画面が表示される。このように画面が拡大表示されることで画面の視認性が高められると共に、それにより操作性が高められることになる。なお、画面から消滅している機能設定部１１４については、機能ボタン１０４の操作により画面を左右方向にスクロールさせることで視認可能となる。
【００２７】
テンキー９８は、複写枚数などを設定するためのものであり、スタートボタン１００は、複写動作の開始を指示するためのものである。また、表示モード選択ボタン１０２は、操作パネル１８が所定角度で起き上がった状態となる第２の位置にある場合に液晶表示部９６に表示される画面の表示状態を変更する第１の表示モードと、操作パネル１８が所定角度で起き上がった状態となる第２の位置にある場合でも液晶表示部９６に表示される画面の表示状態を変更しない第２の表示モードとを択一的に選択するための表示モード選択部を構成するものである。また、機能ボタン１０４は、液晶表示部９６の画面が拡大表示される場合に画面を左右方向にスクロールするためのものである。
【００２８】
図５は、操作パネル１８を倒伏した状態となる第１の位置と、所定角度で起き上がった状態となる第２の位置とに選択的に変更可能にする操作パネル支持部の構成例を説明するための概略図である。操作パネル支持部１１０は、図５（ａ）に示すように、操作パネル１８の前端部両側面において左右方向に同軸状に延び、筐体３０の一部を構成する枠体９２（図１）に回動可能に取り付けられた軸体１１２，１１４と、図５（ａ）乃至（ｃ）に示すように、操作パネル１８の背面と筐体３０内に配設されている支持枠１１６との間に取り付けられたオイルダンパ１１８とで構成されている。
【００２９】
このオイルダンパ１１８は、シリンダー１２０の先端部が操作パネル１８の背面に平行する取付軸１２２の回りを矢印方向に回動可能に取り付けられると共に、筒体部１２４の先端部が支持枠１１６における取付軸１２４の回りを矢印方向に回動可能に取り付けられたものである。なお、この取付軸１２４は、シリンダー１２０の取付軸１２２と平行して設けられているものである。
【００３０】
この操作パネル支持部１１０により回動可能にされた操作パネル１８は、図５（ｂ）に示すように、床面と同一の水平面Ｈに対して角度θ１（θ１が０°である場合を含む。）をなす第１の位置と、図５（ｃ）に示すように、水平面Ｈに対して角度θ２（θ２＞θ１で、θ２が９０°である場合を含む。）をなす第２の位置との間を操作パネル１８に対して所定の回転力が加えられることで回動する。
【００３１】
すなわち、操作パネル１８は、その後端部中央に形成された凹部１２８に指先を引っ掛けて軸体１１２，１１４の回りを回転する方向の力を作用させることで軸体１１２，１１４を中心にして回動可能となり、オペレータが健常者である場合には図５（ｂ）に示す第１の位置に設定され、オペレータが車椅子を利用する身障者である場合には図５（ｃ）に示す第２の位置に設定されることになる。図１は操作パネル１８が図５（ｂ）に示す第１の位置にある場合の画像形成装置１０を示しているが、操作パネル１８が図５（ｃ）に示す第２の位置にある場合の画像形成装置１０を図６に示す。なお、図５（ｃ）に示す第２の位置は、車椅子を利用した身障者の座高に応じて調整されることになる。
【００３２】
また、操作パネル支持部１１０を構成する一方の軸体１１２には、操作パネル１８が第２の位置にあることを検出するための位置検出部を構成する角度センサ１３０が取り付けられている。この角度センサ１３０は、操作パネル１８の回転角を検出するためのポテンショメータなどの可変抵抗器からなるものであり、操作パネル１８が回動されることで角度センサ１３０の回転軸が連動されて抵抗値が変化し、この変化する抵抗値に基づいて操作パネル１８が第２の位置にあるか否かが検出される。
【００３３】
図７は、画像形成装置１０の制御構成を説明するためのブロック図である。すなわち、画像形成装置１０は、その画像形成動作を制御する制御部１４０を備えている。この制御部１４０は、演算処理を実行するＣＰＵ、処理プログラムやデータなどを記憶するＲＯＭ、及び、データを一時的に記憶するＲＡＭを備えたマイクロコンピュータなどで構成され、操作パネル１８で設定された記録紙サイズ、倍率、濃度、複写部数などの画像形成条件に基づいて原稿読取部１２、画像形成部３４、第１の搬送路３６、定着ユニット３８及び第２の搬送路４０における各動作を制御するものである。また、制御部１４０には、画像読取部１２で読み取った画像データを記憶する画像メモリ１４２と、液晶表示部９６に表示される画面の内容を記憶する表示メモリ１４４とが接続されている。
【００３４】
また、制御部１４０には、表示モード判別部１５０、位置判別部１５２、表示制御部１５４、スタート指示判別部１５６、及び、画像形成制御部１５８の各機能実現部を備えている。ここで、表示モード判別部１５０は、操作パネル１８が第２の位置にある場合に、液晶表示部９６に表示される画面の表示状態を操作パネル１８が第１の位置にある場合よりも視認性が高められるように表示変更する第１の表示モードが選択されたか、あるいは、操作パネル１８が第２の位置にある場合であっても表示状態を変更しないで操作パネル１８が第１の位置にある場合と同様の表示を行う第２の表示モードが選択されたかを判別するものである。
【００３５】
位置判別部１５２は、操作パネル１８の回動角度に対応して変化する角度センサ１３０の抵抗値により操作パネル１８が倒伏した状態となる第１の位置にあるか、あるいは、所定角度で起き上がった状態となる第２の位置にあるかを判別するものである。すなわち、位置判別部１５２は、例えば、角度センサ１３０の抵抗値が所定値を超える場合に操作パネル１８が第２の位置にあると判別し、角度センサ１３０の抵抗値が所定値以下である場合に操作パネル１８が第１の位置にあると判別する。なお、操作パネル１８の第２の位置は車椅子を利用する身障者の座高に応じて調整されるため、第２の位置にあると判別するための角度センサ１３０の抵抗値は調整される角度範囲を考慮して設定される。
【００３６】
表示制御部１５４は、液晶表示部９６に表示される画面の表示状態を制御するものであり、操作パネル１８が第１の位置にある場合には表示メモリ１４４に記憶されている表示データに基づいて図３に示す通常の画面を表示し、第１の表示モードが選択された場合で操作パネル１８が第２の位置にある場合には表示メモリ１４４に記憶されている表示データに基づいて図４に示す拡大された画面を表示するものである。また、表示制御部１５４は、画面を拡大表示する場合のスクロール表示をも制御する。
【００３７】
スタート指示判別部１５６は、スタートボタン１００がオンされたか否かを判別することで記録紙への画像の形成指示が行われたか否かを判別するものである。画像形成制御部１５８は、画像形成部３４などを動作させることによって画像メモリ１４２に記憶されている画像データに基づいて記録紙に画像を形成するものである。
【００３８】
図８は、画像形成装置１０における記録紙に画像を形成する場合の動作例を説明するためのフローチャートである。まず、操作パネル１８が第２の位置にある場合に液晶表示部９６に表示される画面の表示状態を変更する第１の表示モードが選択されたか否かが表示モード判別部１５０により判別される（ステップＳ１）。このステップＳ１における判別が肯定されると、操作パネル１８が第２の位置にあるか否かが位置判別部１５２により判別される（ステップＳ３）。
【００３９】
このステップＳ３における判別が肯定されると、液晶表示部９６に図４に示す拡大された画面が表示制御部１５４の制御に基づいて表示される（ステップＳ５）。この拡大された画面が表示されることでオペレータにより記録紙サイズ、倍率、濃度などの画像形成の条件設定が行われたのち、スタート指示が行われた否かがスタート指示判別部１５６により判別される（ステップＳ７）。このステップＳ７での判別が肯定されると、画像形成制御部１５８により画像形成部３４などが駆動制御されて記録紙に画像が形成される（ステップＳ９）。
【００４０】
なお、ステップＳ１における判別が否定されると、ステップＳ７に移行し、それ以降のステップが実行される。また、ステップＳ３における判別が否定されると、液晶表示部９６に図３に示す通常の画面が表示制御部１５４の制御に基づいて表示され（ステップＳ１１）、引き続きステップＳ７に移行し、それ以降のステップが実行される。また、ステップＳ７における判別が否定されると、判別が肯定されるまで待機する。
【００４１】
本発明の画像形成装置１０は、上記実施形態に示すように構成され、表示モード選択ボタン１０２により第１の表示モードが選択され、操作パネル１８が第２の位置にあることが検出されると、液晶表示部９６には拡大画面が表示されるので、車椅子を利用する身障者にも操作パネル１８に対する視認性が高められる結果、操作性を十分に確保することができる。
【００４２】
なお、本発明は、上記実施形態のものに限定されるものではなく、例えば以下に述べるような種々の変形態様を必要に応じて採用することができる。
【００４３】
（１）上記実施形態では、操作パネル１８を倒伏した状態となる第１の位置と所定角度で起き上がった状態となる第２の位置とに選択的に変更可能にするための操作パネル支持部１１０は、軸体１１２，１１４とオイルダンパ１１８とにより構成されたものであるが、これに限るものではない。例えば、オイルダンパ１１８に代えてスナップスイッチ機構を採用することによっても実現可能である。また、操作パネル１８を軸体１１２，１１４の回りに回動させる構造ではなく、操作パネル１８を曲面台座上にスライドさせる構造によっても実現可能である。
【００４４】
（２）上記実施形態では、操作パネル１８をオペレータの操作により倒伏した状態となる第１の位置と所定角度で起き上がった状態となる第２の位置とに手動で変更するようにしたものであるが、これに限るものではない。例えば、筐体３０などに操作スイッチを設置しておき、この操作スイッチをオンにすることで回転駆動するステッピングモータなどの駆動部により操作パネル１８を軸体１１２，１１４の回りに回動させることによっても、操作パネル１８を第１の位置と第２の位置とに選択的に変更することができる。
【００４５】
（３）上記実施形態では、操作パネル１８が倒伏した状態となる第１の位置にあるか、所定角度で起き上がった状態となる第２の位置にあるかを角度センサ１３０により検出するようにしているが、これに限るものではない。例えば、操作パネル１８が第２の位置となる個所に光センサを設けておき、この光センサで操作パネル１８が第２の位置にあることを検出するようにしてもよい。また、操作パネル１８が第２の位置となる個所にマイクロスイッチなどを設けておき、操作パネル１８が第２の位置にあるときに操作パネル１８によりマイクロスイッチが押圧されるようにすることで第２の位置にあることを検出することもできる。
【００４６】
（４）上記実施形態では、操作パネル１８が所定角度で起き上がった状態となる第２の位置にある場合に液晶表示部９６の画面を拡大表示するようにしているが、これに限るものではない。例えば、液晶表示部９６の画面の輝度が高くなるようにしたり、モノクロ表示に代えて多色カラー表示するようにしたりすることによっても画面の視認性を高めることができ、これにより操作性を確保することができる。要は、操作パネル１８が所定角度で起き上がった状態となる第２の位置にある場合に倒伏した状態となる第１の位置にある場合よりも画面の視認性を高めるべく表示状態が変更されるようになっておればよい。
【００４７】
（５）上記実施形態では、操作パネル１８が倒伏した状態となる第１の位置にある場合でも所定角度で起き上がった状態となる第２の位置にある場合でも、液晶表示部９６の画面の表示内容を同一のものとしているが、これに限るものではない。例えば、第２の位置にある場合には、記録紙サイズや濃度などの自動設定可能なものの一部を省略して拡大表示するようにすることもできる。
【００４８】
（６）上記実施形態では、操作パネル１８が所定角度で起き上がった状態となる第２の位置にあるときに図４に示す拡大された画面が表示されるようにしているが、これに限るものではない。例えば、所定角度で起き上がった状態となる第２の位置を複数段に設定可能となるようにしておき、その複数段に設定した第２の位置に応じて画面の拡大倍率を変えるようにすることもできる。すなわち、第２の位置が水平面に対する角度がθａ，θｂ，θｃ（θａ＜θｂ＜θｃ）の３段階に設定されているとすると、例えば、角度θｂであるときは角度θａであるときよりも拡大倍率が大きくなるようにし、角度θｃにあるときは角度θｂにあるときよりも拡大倍率が大きくなるようにする。
【００４９】
（７）上記実施形態では、操作パネル１８が所定角度で起き上がった状態となる第２の位置にある場合に液晶表示部９６に表示される画面の表示状態を変更する第１の表示モードと、操作パネル１８倒伏した状態となる第２の位置にある場合であっても液晶表示部９６に表示される画面の表示状態を変更しない第２の表示モードとを択一的に選択するようにしたものであるが、これに限るものではない。例えば、操作パネル１８が所定角度で起き上がった状態となる第２の位置にある場合には、常に液晶表示部９６に表示される画面の表示状態が変更されるようにしてもよい。
【００５０】
（８）上記実施形態では、画像形成装置１０はタンデム型のカラー複写機を構成するものであるが、これに限るものではない。例えば、感光体ドラムを１つしか有していない構造のカラー複写機であってもよく、画像を単色で形成するモノクロ複写機であってもよい。また、複写機としての機能に加えてプリンタとしての機能やファクシミリ装置としての機能を併せ持つ複合機などであってもよく、床面に設置する構造のファクシミリ装置であってもよい。
【００５１】
（９）上記実施形態では、操作パネル１８の液晶表示部９６はタッチパネルを構成するものであるが、これに限るものではない。例えば、液晶表示部９６は画像形成のための所定のメッセージを表示するためのものであってもよい。また、液晶表示部９６に代えてＣＲＴ表示部などにより構成することもできる。
【図面の簡単な説明】
【００５２】
【図１】本発明の一実施形態に係る画像形成装置の外部構成を概略的に示す斜視図である。
【図２】図１に示す画像形成装置の内部構成を概略的に示す図である。
【図３】図１に示す画像形成装置の液晶表示部に表示される画面を示す図である。
【図４】図１に示す画像形成装置の液晶表示部に表示される画面を拡大して示す図である。
【図５】図１に示す画像形成装置の操作パネル支持部の構成を説明するための図であり、（ａ）は操作パネルの要部斜視図、（ｂ）は操作パネルが倒伏した状態となる第１の位置にある場合の側面図、（ｃ）は操作パネルが所定角度で起き上がった状態となる第２の位置にある場合の側面図である。
【図６】操作パネルが所定角度で起き上がった状態となる第２の位置にある場合の画像形成装置の外部構成を概略的に示す斜視図である。
【図７】図１に示す画像形成装置の制御構成を説明するためのブロック図である。
【図８】図１に示す画像形成装置の動作を説明するためのフローチャートである。
【符号の説明】
【００５３】
１０  画像形成装置
１８  操作パネル
９６  液晶表示部（表示部）
１０２  表示モード選択ボタン（表示モード選択部）
１１０  操作パネル支持部
１３０  角度センサ（位置検出部）
１４０  制御部
１５０  表示モード判別部
１５２  位置判別部
１５４  表示制御部
１５６  スタート指示判別部
１５８  画像形成制御部
【図１】
2006209011.tif 000003
【図２】
2006209011.tif 000004
【図３】
2006209011.tif 000005
【図４】
2006209011.tif 000006
【図５】
2006209011.tif 000007
【図６】
2006209011.tif 000008
【図７】
2006209011.tif 000009
【図８】
2006209011.tif 000010